(57)【要約】【課題】リモートコントローラーの取り出し方向を選ばず、収納操作も容易なリモコンホルダーを提供する。【解決手段】平板２、前記平板２傾動自在に設けられリモコン本体３を引っ掛ける爪１有するもので、前記リモコン本体３をリモコンホルダー１２に収納する時はリモコン本体３を爪１に引っ掛け、前記リモコン本体３をリモコンホルダー１２から取り外す時はそのままリモコン本体３を手前に引けば前記爪１が手前に倒れることにより、簡単に取り外すことができる。【選択図】図１
2005229167.tif 000002
【特許請求の範囲】
【請求項１】
平板と、前記平板に傾動自在に設けられリモートコントローラを引っ掛ける爪を有することを特徴とするリモコンホルダー。
【請求項２】
爪を下方に設けた回転軸を介して平板に傾動自在に設けるとともに、前記爪自身の持つ弾性によって、前記爪が倒された後に、原初の位置に戻るようにしたことを特徴とする請求項１記載のリモコンホルダー。
【請求項３】
平板に、奥部が広く表面側が狭くなるように側部に斜面を有する凹部を形成し、爪を前側に傾動させた時に前記斜面に沿って移動しながら内方に撓む撓み部を前記爪に形成したことを特徴とする請求項２記載のリモコンホルダー。
【請求項４】
爪を、前側に最大限傾けた時でも凹部の斜面と撓み部との係代が残るように、前記撓み部の弾性変形を制限するようにしたことを特徴とする請求項３記載のリモコンホルダー。
【発明の詳細な説明】
【技術分野】
【０００１】
本発明は、電化製品等を遠隔操作するためのリモートコントローラーを収納するためのリモコンホルダーに関するものである。
【背景技術】
【０００２】
従来、この種のリモコンホルダーについて、図５を用いて説明する。
【０００３】
図において、３は、電化製品等の遠隔操作する操作ボタン８を複数有するリモートコントローラー（以下「リモコン本体３」と言う）で、７は、リモコン本体３が着脱自在に装着されるリモコンホルダーで、一般に柱や壁面にネジや、接着材で取り付けられる。
【０００４】
リモコンホルダー７には、リモコン本体３をリモコンホルダー７に装着した状態で操作ボタン８が操作できるように、前面に切り欠き１０が設けられ、さらにリモコン本体３をを確実に前側から保持するために押え部９が縦長に形成されていた（例えば、特許文献１参照）。
【特許文献１】特開２００２−７８０３９号公報
【発明の開示】
【発明が解決しようとする課題】
【０００５】
しかしながら、前記従来のリモコンホルダーの構成では、リモコン本体３をリモコンホルダー７から離脱して利用する際に、上方向以外からは外す事が不可能であり、しかも押さえ部９が長く形成されているため、上方向に引き抜く際のストロークが長く、利用者の自由度を奪うことになり、リモコン本体３の着脱操作性が著しく悪いという課題を有していた。
【０００６】
本発明は、前記従来の課題を解決するもので、リモートコントローラーの着脱操作性に優れたリモコンホルダーを提供することを目的とする。
【課題を解決するための手段】
【０００７】
前記従来の課題を解決するために、本発明のリモコンホルダーは、平板と、前記平板に傾動自在に設けられリモートコントローラを引っ掛ける爪を有するもので、前記リモートコントローラをリモコンホルダーに収納する時は、前記爪にリモートコントローラを引っ掛け、取り外す時は、リモートコントローラを手に持って上方向は勿論のこと、そのままリモートコントローラを手前に引いても前記爪が倒れることにより、取り出し方向を選ばず簡単に取り外すことができ、しかも外す際に必要なストロークも短く、リモートコントローラの着脱操作が極めて容易である。また、リモートコントローラを爪に引っ掛けるようにしているのでリモコンホルダーを小さくすることができ、設置場所に制約を受ける事も無い。
【発明の効果】
【０００８】
本発明のリモコンホルダーは、リモートコントローラの収納性・離脱性に優れ、かつ、リモートコントローラよりもリモコンホルダーを小さくすることができるので、設置場所に制約を受ける事が無い。
【発明を実施するための最良の形態】
【０００９】
第１の発明は、平板と、前記平板に傾動自在に設けられリモートコントローラを引っ掛ける爪を有するもので、前記リモートコントローラをリモコンホルダーに収納する時は、前記爪にリモートコントローラを引っ掛け、取り外す時は、リモートコントローラを手に持って上方向は勿論のこと、そのままリモートコントローラを手前に引いても前記爪が倒れることにより、取り出し方向を選ばず簡単に取り外すことができ、しかも外す際に必要なストロークも短く、リモートコントローラの着脱操作が極めて容易である。また、リモートコントローラを爪に引っ掛けるようにしているのでリモコンホルダーを小さくすることができるので、設置場所に制約を受ける事も無い。
【００１０】
第２の発明は、特に、第１の発明の爪を下方に設けた回転軸を介して平板に傾動自在に設けるとともに、前記爪自身の持つ弾性によって、前記爪が倒された後に、原初の位置に戻るようにしたもので、再度リモートコントローラをリモコンホルダーに収納する際、リモートコントローラを取り外す際に倒れた爪が元の位置に戻っているので、リモートコントローラをリモコンホルダーに簡単に引っ掛けることができる。
【００１１】
第３の発明は、特に、第２の発明の平板に、奥部が広く表面側が狭くなるように側部に斜面を有する凹部を形成し、爪を前側に傾動させた時に前記斜面に沿って移動しながら内方に撓む撓み部を前記爪に形成したもので、前記爪が傾倒した際、回転軸から遠い部分より前記撓み部が、前記凹部から外れまた、最大限倒した時でも前記撓み部と前記凹部との間の係代を確保しておけば、前記斜面に沿って前記爪が原初の位置に戻ることができる。
【００１２】
第４の発明は、特に、第３の発明の爪を前側に最大限傾けた時でも凹部の斜面と撓み部との係代が残るように、前記撓み部の弾性変形を制限するようにしたもので、簡単な構成で爪が平板との係合部から完全に外れることなく、常に原初の位置に戻る方向の力を作用させることができる。
【００１３】
以下、本発明の実施の形態について、図面を参照しながら説明する。なお、この実施の形態によって本発明が限定されるものではない。
【００１４】
（実施の形態１）
図１（ａ）は、本発明の第１の実施の形態におけるリモコンホルダーにリモコン本体を収納した状態を示す部分断面図、（ｂ）は、同リモコンホルダーの正面図、（ｃ）は、同リモコンホルダーの動作を示す部分断面図である。なお、従来例と同一部分については同一符号を付してその説明を省略する。
【００１５】
図１において、リモコンホルダー１２は、平板２と、平板２に傾動自在に設けられた爪１によって構成され、リモコン本体３の背面に設けた溝部３ａを前記爪１に引っ掛けてリモコン本体３をリモコンホルダー１２に収納するようにしている。
【００１６】
図２は、爪１の詳細を示すもので、爪１は１個所の回転軸４を持ち、その回転軸４は、平板２に回転自在に軸支され、且つ前記爪１は弾性特性のある材質から形成されている。
【００１７】
以上のように構成されたリモコンホルダーについて、以下その動作、作用を説明する。
【００１８】
まず、リモコン本体３を手前に引いて取り外す動作を行なった場合、図１（ｃ）に示すように爪１がリモコン本体３と共に手前側に連続的に倒れ、リモコン本体３の溝部３ａと爪１との引っ掛かり代が零になった時に、リモコンホルダー１２からリモコン本体３が取出し可能となる。
【００１９】
以上のように、本実施の形態によれば、リモコンホルダー１２は平板２と爪１の２部品で構成され、前記爪１を傾動自在にすることにより、リモコン本体３の取り出し方向の自由度が高く、また、着脱時に必要なストロークも小さくすることができるので、極めて使用勝手が良いものである。
【００２０】
また、爪１を、弾性特性のある材質で形成し、かつ爪１が回転軸４を介して平板２に傾動自在に設けられているので、リモコン本体３をリモコンホルダー１２から手前に引いて取り外した場合、倒された爪１は回転軸４を中心に爪１自身の持つ弾性によって、原初の位置５に戻り、使用者自身が指で爪１を最初の位置５に戻す必要が無く、また、再度リモコン本体３をリモコンホルダー１２に収納する際、爪１が元の位置に戻っているので、リモコン本体３をリモコンホルダー１２に簡単に引っ掛けることができる。
【００２１】
（実施の形態２）
図３は、本発明の第２の実施の形態におけるリモコンホルダーの正面図で、図４は、同リモコンホルダーの動作を示す断面図である。なお、上記実施の形態と同一部分については同一符号を付してその説明を省略する。
【００２２】
図において、平板２には奥部が広く、表面側が狭くなるように側部に斜面ａを有する凹部２ａが形成されている。一方爪１には、前記凹部２ａの斜面ａに嵌合するように端面に傾斜面１ｂを有する二つの撓み部１ａと、その二つの撓み部１ａ間に位置すると共に隙間Ｔをおいて突起６が形成されている。
【００２３】
以上のように構成されたリモコンホルダー１２について、以下その動作、作用を説明する。
【００２４】
図４（ａ）は、爪１の撓み部１ａが凹部２ａに収納された状態を示している。ここで爪１の先端に引っ掛けられたリモコン本体３を外すために手前に引くと、撓み部１ａに設けた傾斜面１ｂと凹部２ａの斜面ａにより、図３の２点鎖線で示すように両側の撓み部１ａが隙間Ｔの範囲で内方に撓みながら、爪１が前側に倒れ、リモコン本体３を取り外す事ができる。ここで、図４（ｂ）に示すように、撓み部１ａが突起６に当たって隙間Ｔが零になったときでも凹部２ａと撓み部１ａとの間の係合代Ｋを確保できるように隙間Ｔの大きさを予め設定しておけば、爪１が最大限倒れても凹部２ａから外れないと共に、リモコン本体３を取り外した後は、撓み部１ａの弾性と、凹部２ａの斜面と撓み部１ａの傾斜面１ｂの作用で、元の位置、即ち図３（ａ）の位置に自動的に戻るので、リモコン本体３の取り外しの都度わざわざ指で爪１を元の位置に戻す必要がない。
【００２５】
以上のように、本実施の形態によれば、撓み部１ａの弾性変形量を中央部に設けた突起部６で制限させることで爪１の倒れる角度を抑制して、かつ撓み部１ａが平板２の凹部２ａから完全に外れて、倒された爪１が原初の位置５に戻らなくなることを未然に防ぐことができる。
【産業上の利用可能性】
【００２６】
以上のように、本発明にかかるリモコンホルダーは、取り出し方向を選ばずに取り出せ、着脱ストロークも短く、しかも簡単に収納できるので、リモートコントローラーに限らず壁面等の固定面に取り付け、物品の着脱操作が行なわれる一般的な物品ホルダー等の用途にも適用できる。
【図面の簡単な説明】
【００２７】
【図１】（ａ）本発明の第１の実施の形態におけるリモコンホルダーにリモコン本体を収納した状態を示す部分断面図、（ｂ）同リモコンホルダーの正面図、（ｃ）同リモコンホルダーの動作を示す部分断面図
【図２】同リモコンホルダーの要部断面図
【図３】本発明の実施の形態２におけるリモコンホルダーの部分正面図
【図４】（ａ）、（ｂ）リモコンホルダーの動作を示す図（図３のＡ−Ａ断面図）
【図５】従来のリモコンホルダーの斜視図
【符号の説明】
【００２８】
１    爪
１ａ    撓み部
２    平板
３    リモートコントローラー（リモコン本体）
４    回転軸
６    突起
１２    リモコンホルダー
【図１】
2005229167.tif 000003
【図２】
2005229167.tif 000004
【図３】
2005229167.tif 000005
【図４】
2005229167.tif 000006
【図５】
2005229167.tif 000007